(57)【要約】【課題】Ｘ線観察下で確認困難な膜状組織に対して、該膜状組織に近接する拍動組織に尖端を接触させることなく、穿孔する。【解決手段】体外から体組織に穿刺して、体組織内部の拍動組織の周辺の膜組織まで穿孔する穿刺針５と、穿刺針５の外側に配置される筒状の保護部材６と、拍動組織の拍動情報を取得する拍動情報取得部３と、拍動情報取得部３により取得された拍動組織の拍動情報に同期させて、拍動組織が拡張したときには、穿刺針５の尖端５ａを保護部材６の先端よりも基端側に引っ込め、拍動組織が収縮したときには、穿刺針５の尖端５ａを保護部材６の先端より先方に突出させるように、穿刺針５と保護部材６とを相対的に移動させる駆動部４とを備える医療デバイス１を提供する。【選択図】図１
2014097122.tif 000002
【特許請求の範囲】
【請求項１】
体外から体組織に穿刺して、体組織内部の拍動組織の周辺の膜組織まで穿孔する穿刺針と、
該穿刺針の外側に配置される筒状の保護部材と、
前記拍動組織の拍動情報を取得する拍動情報取得部と、
該拍動情報取得部により取得された前記拍動組織の拍動情報に同期させて、前記拍動組織が拡張したときには、前記穿刺針の尖端を前記保護部材の先端よりも基端側に引っ込め、前記拍動組織が収縮したときには、前記穿刺針の尖端を前記保護部材の先端よりも先方に突出させるように、前記穿刺針と前記保護部材とを相対的に移動させる駆動部とを備える医療デバイス。
【請求項２】
体外から体組織に穿刺して、体組織内部の拍動組織の周辺の膜組織まで穿孔する筒状の穿刺針と、
該穿刺針の内孔内に配置される棒状の保護部材と、
前記拍動組織の拍動情報を取得する拍動情報取得部と、
該拍動情報取得部により取得された前記拍動組織の拍動情報に同期させて、前記拍動組織が拡張したときには、前記穿刺針の尖端を前記保護部材の先端よりも基端側に引っ込め、前記拍動組織が収縮したときには、前記穿刺針の尖端を前記保護部材の先端より先方に突出させるように、前記穿刺針と前記保護部材とを相対的に移動させる駆動部とを備える医療デバイス。
【請求項３】
前記拍動情報取得部が、拍動情報として心電波形を取得し、
前記駆動部は、前記拍動情報取得部により取得された心電波形の内、Ｓ波からＴ波にわたる範囲で、前記穿刺針を前記保護部材の先端開口外に突出させる請求項１または請求項２に記載の医療デバイス。
【請求項４】
前記駆動部により前記穿刺針と前記保護部材とを相対的に移動させる相対移動モードと、
前記穿刺針の尖端が前記保護部材の先端より先方に突出された状態で保持する穿刺モードと、
前記穿刺針の尖端を前記保護部材の先端よりも基端側に引っ込めた状態で保持する保護モードとを切り替えるモード切替部を備える請求項１から請求項３のいずれかに記載の医療デバイス。
【請求項５】
前記拍動情報取得部が、拍動情報として、前記穿刺針の尖端近傍において心電位を検出し、
前記モード切替部は、該拍動情報取得部により検出された心電位が所定の閾値を超えた場合に、前記穿刺モードから前記相対移動モードへ切り替える請求項４に記載の医療デバイス。
【請求項６】
前記穿刺針の尖端近傍において生体情報を検出する生体情報検出部を備え、
前記モード切替部は、前記生体情報検出部により検出された生体情報が穿刺針による膜組織の貫通を示す場合に、前記相対移動モードから前記保護モードへ切り替える請求項４に記載の医療デバイス。
【請求項７】
前記生体情報が、圧力、生体インピーダンス、反射光量および穿刺抵抗値のいずれかである請求項６に記載の医療デバイス。
【発明の詳細な説明】
【技術分野】
【０００１】
本発明は、医療デバイスに関するものである。
【背景技術】
【０００２】
従来、心室頻拍のアブレーションカテーテルを経皮的に心臓と心膜との間（心膜腔）に挿入して治療する方法において、体外から心膜腔内へのアブレーションカテーテルのアクセスルートを確保するための穿刺針が知られている（例えば、特許文献１参照。）。
この穿刺針は、Ｘ線観察下において穿刺針を組織に穿刺していき、心膜を貫通した時点で解放されるバネの弾発力によって、穿刺針の先端が心膜腔内に突出して変形するようになっている。
【０００３】
Ｘ線では心膜自体は確認できず、心臓の輪郭も不明確であるため、Ｘ線画像上で直接的に心膜に穿孔されたか否かを判断することができないが、上記穿刺針によれば、Ｘ線画像において穿刺針の先端が変形したことが確認されることで、穿刺針による心膜の貫通を判断することができるようになっている。
【先行技術文献】
【特許文献】
【０００４】
【特許文献１】特開２０１１−０７８５２５号公報
【発明の概要】
【発明が解決しようとする課題】
【０００５】
しかしながら、穿刺針による心膜の穿刺作業は、心臓を拍動させたままの状態で行われるため、心臓が拡張している状態では心膜と心筋との距離が極めて近接しているため、穿刺針の尖端を心筋に接触させることなく心膜のみに穿孔することは困難である。
【０００６】
本発明は、上述した事情に鑑みてなされたものであって、Ｘ線観察下で確認困難な膜状組織に対して、該膜状組織に近接する拍動組織に尖端を接触させることなく、穿孔することができる医療デバイスを提供することを目的としている。
【課題を解決するための手段】
【０００７】
上記目的を達成するため、本発明は以下の手段を提供する。
本発明の一態様は、体外から体組織に穿刺して、体組織内部の拍動組織の周辺の膜組織まで穿孔する穿刺針と、該穿刺針の外側に配置される筒状の保護部材と、前記拍動組織の拍動情報を取得する拍動情報取得部と、該拍動情報取得部により取得された前記拍動組織の拍動情報に同期させて、前記拍動組織が拡張したときには、前記穿刺針の尖端を前記保護部材の先端よりも基端側に引っ込め、前記拍動組織が収縮したときには、前記穿刺針の尖端を前記保護部材の先端より先方に突出させるように、前記穿刺針と前記保護部材とを相対的に移動させる駆動部とを備える医療デバイスを提供する。
【０００８】
本態様によれば、医療用デバイスの穿刺針を保護部材から突出させた状態で、体外から体組織に穿刺して行き、拍動組織の周辺の膜組織に到達する前で、駆動部を作動させて穿刺針と保護部材とを相対的に移動させることにより、穿刺針の尖端を保護部材の先端から出没させる。
【０００９】
駆動部は、拍動情報取得部により取得された拍動情報に同期させて穿刺針と保護部材とを相対移動させるので、拍動組織が拡張するとき、すなわち、拍動組織の表面が穿刺針に近接する方向に移動するときには、穿刺針の尖端を保護部材の先端よりも基端側に引っ込める方向に移動させることで穿刺針の尖端と拍動組織との接触を回避することができる。
【００１０】
一方、拍動組織が収縮するとき、すなわち、拍動組織の表面が周囲の膜組織から離れる方向に移動するときには、穿刺針の尖端を保護部材の先端よりも先方に突出させて、穿刺針の尖端により膜組織に穿孔することができる。この場合に、拍動組織の収縮によって拍動組織が膜組織から離間しているので、穿刺針の尖端を拍動組織に接触させずに、膜組織をより確実に穿孔することができる。
【００１１】
本発明の他の態様は、体外から体組織に穿刺して、体組織内部の拍動組織の周辺の膜組織まで穿孔する筒状の穿刺針と、該穿刺針の内側に配置される棒状の保護部材と、前記拍動組織の拍動情報を取得する拍動情報取得部と、該拍動情報取得部により取得された前記拍動組織の拍動情報に同期させて、前記拍動組織が拡張したときには、前記穿刺針の尖端を前記保護部材の先端よりも基端側に引っ込め、前記拍動組織が収縮したときには、前記穿刺針の尖端を前記保護部材の先端よりも先方に突出させるように、前記穿刺針と前記保護部材とを相対的に移動させる駆動部とを備える医療デバイスを提供する。
【００１２】
上記態様においては、前記拍動情報取得部が、拍動情報として心電波形を取得し、前記駆動部は、前記拍動情報取得部により取得された心電波形の内、Ｓ波からＴ波にわたる範囲で、前記穿刺針を前記保護部材の先端開口外に突出させてもよい。
このようにすることで、拍動組織が心臓である場合に、心電波形の内、Ｓ波からＴ波にわたる範囲では、心室の収縮器に当たるので、膜組織である心膜と心筋との距離が開いている。したがって、この期間に穿刺針を保護部材の先端開口外に突出させることにより、穿刺針の尖端を心筋に接触させずに心膜に穿孔することができる。
【００１３】
また、上記態様においては、前記駆動部により前記穿刺針と前記保護部材とを相対的に移動させる相対移動モードと、前記穿刺針の尖端が前記保護部材の先端開口外に突出された状態で保持する穿刺モードと、前記穿刺針の尖端を前記保護部材の先端開口内に引っ込めた状態で保持する保護モードとを切り替えるモード切替部を備えていてもよい。
【００１４】
このようにすることで、モード切替部の作動により、穿刺モードに切り替えることによって、穿刺針の尖端が保護部材の先端開口外に突出された状態に保持されるので、穿刺針の尖端が拍動組織に接触する可能性の少ない領域では、常時穿刺針を突出させて、膜組織に至る体組織の穿孔を連続的に行うことができる。
【００１５】
一方、モード切替部の作動により、保護モードに切り替えられることによって、穿刺針の尖端が保護部材の先端開口内に収容された状態に保持されるので、穿刺針の尖端が膜組織を貫通した後の状態で、穿刺針の尖端を保護部材内に収容して拍動組織に接触しないようにすることができる。
【００１６】
また、上記態様においては、前記拍動情報取得部が、拍動情報として、前記穿刺針の尖端近傍において心電位を検出し、前記モード切替部は、該拍動情報取得部により検出された心電位が所定の閾値を超えた場合に、前記穿刺モードから前記相対移動モードへ切り替えてもよい。
【００１７】
このようにすることで、拍動情報取得部により検出された穿刺針の尖端近傍の心電位が所定の閾値以下の場合には、穿刺針の尖端が膜組織から遠い位置にあり、所定の閾値を超えた時点で膜組織への接触を検出することができる。したがって、穿刺針の尖端が膜組織から離れているときには穿刺モードにして、穿刺針の尖端を保護部材の先端開口から突出させた状態に維持することにより、体組織の連続的な穿孔を可能にし、穿刺針の尖端が膜組織に接触したときには、相対移動モードに切り替えることで、拍動組織への接触を回避しながら膜組織への穿孔を行うことができる。
【００１８】
また、上記態様においては、前記穿刺針の尖端近傍において生体情報を検出する生体情報検出部を備え、前記モード切替部は、前記生体情報検出部により検出された生体情報が穿刺針による膜組織の貫通を示す場合に、前記相対移動モードから前記保護モードへ切り替えてもよい。
【００１９】
このようにすることで、拍動情報取得部により検出された穿刺針の尖端近傍の生体情報によって、穿刺針による膜組織の貫通が検出されたときには、相対移動モードから保護モードに切り替えることで、穿刺針の尖端を保護部材の先端開口内に収容し、尖端が拍動組織への接触することをより確実に防止することができる。
【００２０】
上記態様においては、前記生体情報が、圧力、生体インピーダンス、反射光量および穿刺抵抗値のいずれかであってもよい。
このようにすることで、圧力、生体インピーダンス、反射光量および穿刺抵抗値のいずれかを生体情報として用いて、膜組織の貫通を検出することができる。
【発明の効果】
【００２１】
本発明によれば、Ｘ線観察下で確認困難な膜状組織に対して、該膜状組織に近接する拍動組織に尖端を接触させることなく、穿孔することができるという効果を奏する。
【図面の簡単な説明】
【００２２】
【図１】本発明の一実施形態に係る医療デバイスであって、穿刺針が引っ込んだ状態を示す縦断面図である。
【図２】図１の医療デバイスにおける空気圧供給部から供給される空気圧と心電信号との関係を示すタイミングチャートである。
【図３】図１の医療デバイスであって、穿刺針が突出した状態を示す縦断面図である。
【図４】図１の医療デバイスのデバイス本体を剣状突起下部から体組織に穿刺する穿刺モードを示す縦断面図である。
【図５】図１の医療デバイスのデバイス本体の穿刺針の尖端によって心膜を貫通した状態を示し、相対移動モードを説明するための心臓収縮時の状態を示す縦断面図である。
【図６】図１の医療デバイスのデバイス本体の穿刺針の尖端によって心膜を貫通した状態を示し、相対移動モードを説明するための心臓拡張時の状態を示す縦断面図である。
【図７】図６の状態から保護部材から穿刺針を抜去した状態を示す縦断面図である。
【図８】図１の医療デバイスの第１の変形例を示す縦断面図である。
【図９】図１の医療デバイスの第２の変形例を示す縦断面図である。
【図１０】図１の医療デバイスの第３の変形例であって、穿刺針が引っ込んだ状態を示す縦断面図である。
【図１１】図１０の医療デバイスの穿刺針が突出した状態を示す縦断面図である。
【図１２】図１の医療デバイスの第４の変形例を示す縦断面図である。
【発明を実施するための形態】
【００２３】
本発明の一実施形態に係る医療デバイス１について図面を参照して以下に説明する。
本実施形態に係る医療デバイス１は、図１に示されるように、デバイス本体２と、心電信号を検出する心電信号検出部３と、該心電信号検出部３により検出された心電信号に基づいてデバイス本体２を駆動する駆動部４とを備えている。
【００２４】
デバイス本体２は、患者の体外から体組織に穿孔するための尖端５ａを有する穿刺針５と、該穿刺針５を収納可能な内孔６ａを有する円筒状の保護部材６と、該保護部材６の基端側に着脱可能に連結されたエアシリンダ部７とを備えている。
穿刺針５は、先端部に、一方向に湾曲する湾曲部５ｂを有し、湾曲部５ｂのさらに先端側に鋭利な尖端５ａを有している。穿刺針５の基端側には、エアシリンダ部７のピストンを構成するフランジ部５ｃが備えられている。
【００２５】
保護部材６は、非鋭利に構成された先端部に内孔６ａの先端開口を有している。保護部材６の基端側には雄ねじ６ｂが設けられている、
エアシリンダ部７は、穿刺針５に設けられたフランジ部５ｃを長手方向に摺動可能に収容する内孔７ａと、該内孔７ａの長手方向の途中位置に半径方向内方に突出する内鍔部７ｂと、内孔７ａの開口部近傍に設けられ保護部材６の雄ねじ６ｂを締結する雌ねじ７ｃと、フランジ部５ｃと内鍔部７ｂとの間に配置される圧縮コイルバネ７ｄとを備えている。図中、符号８は止めネジである。
【００２６】
フランジ部５ｃと内孔７ａとの間には図示しないシール部材が配置され、フランジ部５ｃよりも基端側の内孔７ａが気密状態に密閉された圧力室７ｅとして構成されている。
心電信号検出部３は、例えば、１２誘導心電図を取得するための心電位計である。
【００２７】
駆動部４は、制御部９と、制御部９からの指令信号に基づいて圧力室７ｅに供給する空気圧を調節する空気圧供給部１０とを備えている。
制御部９は、心電信号検出部３により検出された心電信号に基づいて、空気圧供給部１０に供給する指令信号を調節するようになっている。具体的には、図２に示されるように、心電信号の内、Ｓ波の後半からＴ波の後半にわたる期間に、圧力室７ｅに供給する空気圧を増大させ、それ以外の期間では空気圧を低下させるような指令信号を出力するようになっている。
空気圧供給部１０は、図示しない空気圧源と、調節弁とを備えている。
【００２８】
また、本実施形態においては、制御部９には、操作者によって操作される入力部１１が接続されている。入力部１１は、制御部９による穿刺針５の動作モードを３段階に切り替えることができるようになっている。
【００２９】
３段階の動作モードは、相対移動モード、穿刺モードおよび保護モードである。
相対移動モードは、制御部９が心電信号検出部３により検出された心電信号に同期させて、保護部材６に対して穿刺針５を長手方向の往復移動させ、穿刺針５の尖端５ａを保護部材６の先端から出没させる動作モードである。
【００３０】
穿刺モードは、心電信号検出部３により検出された心電信号と穿刺針５の移動との同期を行わず、図３に示されるように、保護部材６の先端よりも先方に穿刺針５の尖端５ａを突出させた状態に維持する動作モードである。具体的には、穿刺モードでは、制御部９は、空気圧供給部１０から高い圧力の空気圧を圧力室７ｅ内に供給するように指令するようになっている。
【００３１】
保護モードも、心電信号検出部３により検出された心電信号と穿刺針５の移動との同期を行わず、図１に示されるように、保護部材６の先端よりも基端側に穿刺針５の尖端５ａを収容した状態に維持する動作モードである。具体的には、保護モードでは、制御部９は、空気圧供給部１０に対し、圧力室７ｅへの空気圧の供給を停止するように指令するようになっている。空気圧が低下すると、圧縮コイルバネ７ｄの弾発力によって穿刺針５が基端側に押し戻されるようになっている。
【００３２】
なお、本実施形態においては、制御部９に入力部１１が接続され、入力部１１からの信号に応じて穿刺針５の動作モードを切り替える例を示したが、入力部１１および動作モードの切り替えについては必須ではない。
【００３３】
このように構成された本実施形態に係る医療デバイス１の作用について、以下に説明する。
本実施形態に係る医療デバイス１を用いて、心膜Ａにガイドワイヤ導入用の貫通孔を形成するには、入力部１１を操作して穿刺モードに設定し、図３に示されるように、穿刺針５の尖端５ａを保護部材６の先端開口から突出した状態に維持する。
【００３４】
この状態で、図４に示されるように、穿刺針５の尖端５ａを剣状突起Ｂ下部の体表から体組織に穿刺し、Ｘ線観察下で心臓Ｃ近傍まで穿刺していく。図中、符号Ｄは横隔膜である。
【００３５】
次いで、尖端５ａが心臓Ｃから十分に離れた位置において、入力部１１を操作して動作モードを相対移動モードに切り替える。これにより、穿刺針５の尖端５ａが、保護部材６の先端開口から出没されるようになる。
【００３６】
この状態で、さらに穿刺する動作を継続する。
この動作モードにおいては、穿刺針５の尖端５ａが心電信号に同期して保護部材６の先端開口から出没される。さらに具体的には、図２に示されるように、心電信号のＳ波の後半からＴ波の後半にわたって、尖端５ａが保護部材６の先端開口から突出させられ、その他の期間では保護部材６内に収容される。
【００３７】
心電信号のＳ波の後半からＴ波の後半にわたっては、心室が動脈へ血液を駆出する期間であるため心筋が大きく収縮する。その結果、心膜Ａと心臓Ｃとの間の心膜腔Ｅが拡張し、心臓Ｃが心膜Ａから離間している。
したがって、図５に示されるように、この期間に穿刺針５の尖端５ａを突出し、尖端５ａが心膜Ａを貫通しても、尖端５ａが心臓Ｃに接触する可能性が十分に低下させられる。
【００３８】
特に、本実施形態においては、穿刺針５の先端部に湾曲部５ｂを設けているので、図５に示されるように傾斜させて体組織に穿刺していくと、湾曲部５ｂの湾曲した外面を心臓Ｃ側に向けることができ、仮に、心臓Ｃの拡張時に穿刺針５が保護部材６の先端よりも先方に突出していたとしても、穿刺針５の尖端５ａが心臓Ｃに接触することをより確実に回避することができる。
【００３９】
一方、心電信号のＳ波の後半からＴ波の後半以外の期間では、心筋は拡張しているので、心膜Ａと心臓Ｃとの間の心膜腔Ｅが収縮し、心臓Ｃが心膜Ａに近接している。したがって、この期間においては、図６に示されるように、穿刺針５の尖端５ａによる心膜Ａの穿孔作業は行わないことにして、尖端５ａを保護部材６の内部に収容しておくことにより、穿刺針５の尖端５ａが心臓Ｃに接触することを確実に防止することができる。
すなわち、心臓Ｃの拍動に同期して穿刺針５を保護部材６の先端開口から出没させることにより、穿刺針５の尖端５ａが心臓Ｃに接触することを防止しつつ心膜Ａに穿孔することができる。
【００４０】
その後、心膜Ａに穿孔して保護部材６の先端部が心膜腔Ｅ内に挿入されたときには、入力部１１からの入力により、動作モードを保護モードに切り替えることにより、穿刺針５の尖端５ａを保護部材６の内部に収容した状態に維持し、それ以降、穿刺針５の尖端５ａが心臓Ｃに接触することを確実に防止することができる。
【００４１】
そして、止めネジ８を緩めて、保護部材６の雄ねじ６ｂとエアシリンダ部７の雌ねじ７ｃとの締結を緩め、図７に示されるように、エアシリンダ部７を保護部材６から取り外す。そして、保護部材６の内孔６ａから穿刺針５を基端側に抜き出すことにより、保護部材６の内孔６ａを介してガイドワイヤ（図示略）を心膜腔Ｅ内に導入することができる。
【００４２】
このように、本実施形態に係る医療デバイス１によれば、穿刺針５を常時突出させた状態で心膜Ａの穿孔作業を行うのではなく、心電信号に同期して出没する尖端５ａによって穿刺作業を行うので、穿刺針５の尖端５ａが心臓Ｃに接触することを防止しつつ心膜Ａに穿孔することができるという効果を奏する。
【００４３】
なお、本実施形態においては、図１および図３に示されるように、保護部材６に対して穿刺針５を移動させることとしたが、これに代えて、穿刺針５に対して保護部材６を移動させることにしてもよい。
また、本実施形態においては、穿刺針５が保護部材６の先端よりも先方に突出した状態においても、より確実に尖端５ａの心臓Ｃへの接触を回避可能とするように、穿刺針５に湾曲部５ｂを設けたが、これに代えて、図８に示されるように、湾曲部５ｂを有しない真っ直ぐな穿刺針５を採用してもよい。
【００４４】
また、本実施形態においては、穿刺針５を中実の針状部材によって構成したが、これに代えて、図９に示されるように中空の筒状部材によって構成してもよい。この場合に、穿刺針５の内孔５ｄとエアシリンダ部７の基端側の端面とを蛇腹のような伸縮自在の管状部材１２によって連通させることにしてもよい。
【００４５】
このようにすることで、エアシリンダ部７の基端側の端面から、管状部材１２および穿刺針５の内孔５ｄを介して穿刺針５の先端に造影剤を供給することができる。これにより、穿刺針５の尖端５ａが心膜Ａを貫通して心膜腔Ｅ内に入ったか否かをＸ線観察によって、より正確に判断することが可能となる。
また、上記の構成を採用することにより、保護部材６から穿刺針５を抜去しなくても、管状部材１２および穿刺針５の内孔５ｄを介して、心膜腔Ｅ内にガイドワイヤを導入することができるという利点もある。
【００４６】
また、本実施形態においては、穿刺針５の外側に穿刺針５を収納可能な筒状の保護部材６を配置したが、これに代えて、図１０および図１１に示されるように、筒状の穿刺針５の内側に棒状または筒状の保護部材６を配置し、両者を相対的に移動させることにしてもよい。
【００４７】
図１０および図１１に示す例では、穿刺針５の内側に挿入配置される筒状の保護部材６をエアシリンダ部７に固定しており、穿刺針５がエアシリンダ部７の圧力室７ｅに供給される空気圧によって、その尖端５ａを保護部材６の先端よりも先方か基端側かのいずれかの位置に配置するようになっている。逆に、穿刺針５を固定し、保護部材６を穿刺針５に対して進退させる構成を採用してもよい。
【００４８】
また、半径方向の内側に配置される穿刺針５あるいは保護部材６に長手方向に貫通する内孔６ａを設ける場合には、図１２に示されるように、その内孔６ａを利用して、生体情報を検出し、動作モードの切り替えに利用してもよい。
例えば、図１２に示す例において、センサ１３として保護部材６の先端に圧力センサを配置し、センサ１３により検出された圧力に基づいて、生体情報検出部１４により、生体情報を検出してもよい。
【００４９】
すなわち、体組織や心膜Ａを穿孔中の場合、圧力センサによって検出される圧力は、組織から受ける圧力が支配的となるが、穿刺針５によって心膜Ａが貫通された時点で、心膜腔Ｅ内の圧力が検出されることとなり、圧力が低下する。したがって、圧力センサによって心膜腔Ｅ内の圧力が検出された時点で、相対移動モードから保護モードに自動で切り替えることができる。なお、圧力変化があったことを、表示灯の点灯や画面表示あるいは音声によって外部に報知することにしてもよい。
【００５０】
なお、圧力センサを保護部材６の先端に設けることに代えて、保護部材６の内孔６ａの基端側に配置してもよい。この場合には、内孔６ａ内の圧力変動を検出して動作モードの切り替えを行うことができる。
【００５１】
また、例えば、図１２に示す例において、センサ１３として、生体情報としての生体インピーダンスを測定するための電極を配置してもよい。
電極に体組織や心膜Ａが接触している場合と、電極が心膜腔Ｅ内に入って空間に配される場合とで生体インピーダンスが変化するので、圧力の場合と同様にして、生体インピーダンスの変化が検出された時点で、相対移動モードから保護モードに自動で切り替えることができる。
【００５２】
また、例えば、図１２に示す例において、センサ１３として、先方に光を照射し、散乱して戻る光を生体情報として検出する光センサを採用してもよい。
穿刺針５によって、体組織や心膜Ａを穿孔中の場合、組織から戻る散乱光の強度は高いが、穿刺針５によって心膜Ａが貫通された時点で、光は広い心膜腔Ｅ内に照射されることになるため、検出される反射光の強度は低下する。したがって、光センサによって検出される光の強度が低下した時点で、相対移動モードから保護モードに自動で切り替えることができる。
【００５３】
また、例えば、図１に示す例において、穿刺針５を導電性の材料により構成し、穿刺針５に心電位計を接続することにより、心電位を検出するための電極として穿刺針５を利用してもよい。
穿刺針５が心膜Ａに接触すると比較的大きな電流が流れるために、検出される心電位が大きく変化する。したがって、この心電位の変化を検出することにより、穿刺針５が心膜Ａに接触したと判定できる。すなわち、心電位の変化の検出により、穿刺モードから相対移動モードへの自動切替を行うことができる。
【００５４】
また、保護部材６の内孔６ａを介した圧力の検出に代えて、圧力室７ｅ内の圧力変動を圧力センサによって検出したり、穿刺針５を介して伝達される穿刺抵抗をロードセル（図示略）によって検出したりすることにより、穿刺時に穿刺針５にかかる力を直接検出し、動作モードの切り替えに利用してもよい。すなわち、穿刺針５を突出させた状態で、体組織に穿孔しているときには、圧力室７ｅ内の圧力や穿刺針５に加わる穿刺抵抗は高い値となるが、心膜Ａを貫通したときに低下する。したがって、この圧力低下や穿刺抵抗の低下が検出された場合に、動作モードを保護モードに自動的に切り替えることにすればよい。
【００５５】
また、本実施形態においては、拍動組織として心臓Ｃ、膜組織として心膜Ａを例示したが、これに限定されるものではない。
また、拍動情報として心電信号を例示したがこれに限定されるものではない。
【符号の説明】
【００５６】
Ａ  心膜（膜組織）
Ｃ  心臓（拍動組織）
１  医療デバイス
３  心電信号検出部（拍動情報取得部）
４  駆動部
５  穿刺針
５ａ  尖端
６  保護部材
１４  生体情報検出部
【図１】
2014097122.tif 000003
【図２】
2014097122.tif 000004
【図３】
2014097122.tif 000005
【図４】
2014097122.tif 000006
【図５】
2014097122.tif 000007
【図６】
2014097122.tif 000008
【図７】
2014097122.tif 000009
【図８】
2014097122.tif 000010
【図９】
2014097122.tif 000011
【図１０】
2014097122.tif 000012
【図１１】
2014097122.tif 000013
【図１２】
2014097122.tif 000014